(57)【要約】【課題】移動通信端末の適合性試験を実施する場合に、移動通信端末から試験用の加入者識別モジュールを抜き出すことなくそれに記録されているデータの書き換えが行え、かつ試験用の加入者識別モジュールに対してのみデータの書き換えが行えるようにすること。【解決手段】パラメータ生成部１５２にて生成された認証用パラメータが第１認証制御部１０４を介して認証処理部１２１に送られる。認証処理部１２１が演算結果を導き出し、演算結果照合部１５５に送信され、その演算結果と演算部１５６にて導き出された演算結果とが照合される。移動通信端末１００に実装されているものが３ＧＰＰ勧告ＴＳ３４．１０８に規格化されている試験用の加入者識別モジュール（Ｔｅｓｔ ＳＩＭ）１０２である場合に制御部１５３がそのデータ領域１２２の書換命令をＳＩＭカード制御部１０３に送信する。【選択図】      図１
2004208192.tif 000002
【特許請求の範囲】
【請求項１】
移動通信端末に実装されている試験用の加入者識別モジュール内のデータ書換を行う試験用の加入者識別モジュールの書換方法であって、外部の制御装置にて、試験用の認証アルゴリズムと予め用意しているキーとを用いて認証用パラメータを生成し、移動通信端末に送信する工程と、移動通信端末にて、実装されている試験用の加入者識別モジュールが制御装置から送られてきた前記認証用パラメータと試験用の認証アルゴリズムと予め用意しているキーとを利用して認証に関する演算を行い、その演算結果を制御装置に送信する工程と、制御装置にて、試験用の認証アルゴリズムと予め用意しているキーとを利用して認証に関する演算を行い、その演算結果と移動通信端末からの前記演算結果とが一致した場合に、移動通信端末に前記書換命令を送信する工程と、移動通信端末にて、外部の制御装置からの前記書換命令に従ってその実装している試験用の加入者識別モジュール内のデータ書換を行う工程と、を具備することを特徴とする試験用の加入者識別モジュールの書換方法。
【請求項２】
前記移動通信端末では、前記試験用の加入者識別モジュールが他の加入者識別モジュールに置き換わっている場合には、前記制御装置から書換命令が送られてきても、当該実装されている加入者識別モジュール内のデータの書き換えを実行しないことを特徴とする請求項１記載の試験用の加入者識別モジュールの書換方法。
【請求項３】
試験用の加入者識別モジュールを実装して適合性試験を行う移動通信端末であって、外部の制御装置から入力された認証用パラメータを実装されている前記試験用の加入者識別モジュールに伝達する手段と、前記試験用の加入者識別モジュールが前記認証用パラメータと試験用の認証アルゴリズムと予め用意しているキーとを利用して演算した認証に関する演算結果を前記制御装置に送信する手段と、前記制御装置からの書換命令に従って前記試験用の加入者識別モジュール内のデータ書換を行う書換手段と、を具備したことを特徴とする移動通信端末。
【請求項４】
加入者識別モジュールの実装状況を監視し、前記試験用の加入者識別モジュールが他の加入者識別モジュールに置き換わっている場合には、前記書換手段がデータの書き換えを実行するのを禁止する手段、を具備したことを特徴とする請求項３記載の移動通信端末。
【請求項５】
移動通信端末が実装する試験用の加入者識別モジュール内のデータ書換を指示する書換命令を移動通信端末に送信する制御装置において、試験用の認証アルゴリズムと予め用意しているキーとを用いて認証用パラメータを生成し、移動通信端末に送信する手段と、試験用の認証アルゴリズムと予め用意しているキーとを利用して認証に関する演算を行う演算手段と、前記演算手段の演算結果と移動通信端末からの前記演算結果との照合を採る照合手段と、移動通信端末に対する前記書換命令の送信許否を前記照合手段の照合結果に基づき決定する手段と、を具備したことを特徴とする制御装置。
【発明の詳細な説明】
【０００１】
【発明の属する技術分野】
本発明は、３ＧＰＰ勧告ＴＳ３４．１２３−１に規格化されている適合性試験（Ｃｏｎｆｏｒｍａｎｃｅ  Ｔｅｓｔ）を実施する場合に、試験目的に応じて加入者識別モジュールに記録されているデータを書き換える試験用の加入者識別モジュールの書換方法、移動通信端末及び制御装置に関する。
【０００２】
【従来の技術】
３ＧＰＰ勧告ＴＳ３４．１２３−１に規格化されている適合性試験には、試験用の加入者識別モジュール（Ｔｅｓｔ  ＳＩＭ）が使用される。この試験用の加入者識別モジュールは、ユーザ認証に使用されるアルゴリズムが３ＧＰＰ勧告ＴＳ３１．１２０及び３ＧＰＰ勧告ＴＳ３１．１２１に規格化されているアルゴリズムではなく、３ＧＰＰ勧告ＴＳ３４．１０８に規格化されている試験用の簡易アルゴリズムを使用する以外は、３ＧＰＰ勧告ＴＳ３１．１０１及び３ＧＰＰ勧告ＴＳ３１．１０２に規格化されている加入者識別モジュールとの差はない。また、この試験用の加入者識別モジュールに記録さるデータのデフォルト値は、３ＧＰＰ勧告ＴＳ３４．１０８に規格化されている。
【０００３】
この３ＧＰＰ勧告ＴＳ３４．１２３−１に規格化されている適合性試験において、加入者識別モジュールに記録されているデータを３ＧＰＰ勧告ＴＳ３４．１０８に規格化されているデフォルト値から書き換える必要がある場合には、加入者識別モジュールを移動通信端末から取り出し、記録されているデータを書き込み装置等を利用して書き換えるか、記録されているデータの異なる加入者識別モジュールを複数用意してそれらを交換するかのいずれかの作業が不可欠となっている。
【０００４】
一方、加入者識別モジュールに記録されているデータを書き換える方法としては、従来、例えば特許文献１，２に開示された方法が知られている。即ち、特許文献１では、パーソナル識別番号（ＰＩＮ）によってユーザの認証を実施した後に、ユーザが移動通信端末を操作することにより、加入者識別モジュールに保存されているパラメータを読み出すこと、または、書き換えることを可能にする方法が提案されている。また、特許文献２では、外部装置から移動通信端末を制御し、加入者識別モジュールに記録されているデータを書き換える方法が提案されている。
【０００５】
【特許文献１】
特開平９−１８２１５４号公報（００３３〜００５０、図１、図２）
【特許文献２】
特表２００１−５０８２５３号公報（１４頁〜１５頁、図４、図５）
【０００６】
【発明が解決しようとする課題】
しかしながら、３ＧＰＰ勧告ＴＳ３４．１２３−１に規格化されている適合性試験を実施する場合に、従来では、試験目的に応じて、加入者識別モジュールに記録されているデータを書き換える場合には、移動通信端末の入力キーを操作して書き換える、または、加入者識別モジュールを移動通信端末から取り出し、書き込み装置を利用して書き換える、あるいは、記録されているデータの異なる加入者識別モジュールを複数用意し、それらを交換するなどの作業が必須となっているが、これらの作業は、人間の操作によって実施される。そのため、例えば、自動試験を実施していた場合等は、一旦、その試験を中断する必要が生じるという問題がある。
【０００７】
また、加入者識別モジュールは、加入者情報や積算通話料金等が記録されているので、安易に加入者識別モジュールに記録されているデータを書き換える手段を提供することは好ましくない。即ち、適合性試験の実施時に、外部の制御装置から移動通信端末を制御して、加入者識別モジュールに記録されているデータを書き換える場合には、移動通信端末に実装されている加入者識別モジュールが、３ＧＰＰ勧告ＴＳ３４．１０８に規格化されている試験用の加入者識別モジュールである場合にのみ、それに記録されているデータの書き換えを可能にすることが必要である。
【０００８】
本発明は、かかる点に鑑みてなされたものであり、移動通信端末の適合性試験を実施する場合に、移動通信端末から試験用の加入者識別モジュールを抜き出すことなくそれに記録されているデータの書き換えが行え、かつ試験用の加入者識別モジュールに対してのみデータの書き換えが行える加入者識別モジュールの書換方法、移動通信端末及び制御装置を提供することを目的とする。
【０００９】
【課題を解決するための手段】
本発明の試験用の加入者識別モジュールの書換方法は、移動通信端末に実装されている試験用の加入者識別モジュール内のデータ書換を行う試験用の加入者識別モジュールの書換方法であって、外部の制御装置にて、試験用の認証アルゴリズムと予め用意しているキーとを用いて認証用パラメータを生成し、移動通信端末に送信する工程と、移動通信端末にて、実装されている試験用の加入者識別モジュールが制御装置から送られてきた前記認証用パラメータと試験用の認証アルゴリズムと予め用意しているキーとを利用して認証に関する演算を行い、その演算結果を制御装置に送信する工程と、制御装置にて、試験用の認証アルゴリズムと予め用意しているキーとを利用して認証に関する演算を行い、その演算結果と移動通信端末からの前記演算結果とが一致した場合に、移動通信端末に前記書換命令を送信する工程と、移動通信端末にて、外部の制御装置からの前記書換命令に従ってその実装している試験用の加入者識別モジュール内のデータ書換を行う工程と、を具備するようにした。
【００１０】
この方法によれば、外部の制御装置は、移動通信端末に実装されている加入者識別モジュールが３ＧＰＰ勧告ＴＳ３４．１０８に規格化されている試験用の加入者識別モジュールであると確認できた場合にデータの書換命令を移動通信端末に送信し、移動通信端末にて試験用の加入者識別モジュール内のデータ書換が行われる。したがって、移動通信端末の適合性試験を実施する場合に、移動通信端末から試験用の加入者識別モジュールを抜き出すことなく、つまり実施している適合性試験を中断することなく、それに記録されているデータの書き換えを行うことができる。このとき、外部の制御装置は、移動通信端末に実装されている加入者識別モジュールが３ＧＰＰ勧告ＴＳ３４．１０８に規格化されている試験用の加入者識別モジュールでない場合は、データの書換命令を移動通信端末に送信しないので、適合性試験の実施時に実装されている加入者識別モジュールが試験用の加入者識別モジュールでなく加入者情報や積算通話料金等が記録されている加入者識別モジュールである場合にそのデータが誤って書き換えられるようなことはない。
【００１１】
本発明の試験用の加入者識別モジュールの書換方法は、上記の発明において、前記移動通信端末では、前記試験用の加入者識別モジュールが他の加入者識別モジュールに置き換わっている場合には、前記制御装置から書換命令が送られてきても、当該実装されている加入者識別モジュール内のデータの書き換えを実行しないようにした。
【００１２】
この方法によれば、上記の発明において、移動通信端末に実装されている加入者識別モジュールが３ＧＰＰ勧告ＴＳ３４．１０８に規格化されている試験用の加入者識別モジュールであると確認できた後に、試験用の加入者識別モジュールが他の加入者識別モジュールに置き換わっている場合には、移動通信端末では、制御装置から書換命令が送られてきても、データの書き換えを実行しない。したがって、置き換わっている他の加入者識別モジュールが加入者情報や積算通話料金等が記録されている加入者識別モジュールである場合にそのデータが誤って書き換えられるのを防止することができる。
【００１３】
本発明の移動通信端末は、試験用の加入者識別モジュールを実装して適合性試験を行う移動通信端末であって、外部の制御装置から入力された認証用パラメータを実装されている前記試験用の加入者識別モジュールに伝達する手段と、前記試験用の加入者識別モジュールが前記認証用パラメータと試験用の認証アルゴリズムと予め用意しているキーとを利用して演算した認証に関する演算結果を前記制御装置に送信する手段と、前記制御装置からの書換命令に従って前記試験用の加入者識別モジュール内のデータ書換を行う書換手段と、を具備する構成を採る。
【００１４】
この構成によれば、移動通信端末では、適合性試験の実施時に、まず、外部の制御装置から送られてきた認証用パラメータに従って実行した認証に関する演算結果を外部の制御装置に送信し、その後、前記制御装置からの書換命令に従って前記試験用の加入者識別モジュール内のデータ書換を行うことができる。したがって、移動通信端末では、適合性試験を実施する場合に、移動通信端末から試験用の加入者識別モジュールを抜き出すことなく、つまり実施している適合性試験を中断することなく、それに記録されているデータの書き換えを行うことができる。
【００１５】
本発明の移動通信端末は、上記の発明において、加入者識別モジュールの実装状況を監視し、前記試験用の加入者識別モジュールが他の加入者識別モジュールに置き換わっている場合には、前記書換手段がデータの書き換えを実行するのを禁止する手段、を具備する構成を採る。
【００１６】
この構成によれば、上記の発明において、移動通信端末では、適合性試験の実施中に、試験用の加入者識別モジュールが他の加入者識別モジュールに交換された場合には、それを検出して、書換手段が他の加入者識別モジュールについてデータの書き換えを実行するのを禁止することができる。
【００１７】
本発明の制御装置は、移動通信端末が実装する試験用の加入者識別モジュール内のデータ書換を指示する書換命令を移動通信端末に送信する制御装置において、試験用の認証アルゴリズムと予め用意しているキーとを用いて認証用パラメータを生成し、移動通信端末に送信する手段と、試験用の認証アルゴリズムと予め用意しているキーとを利用して認証に関する演算を行う演算手段と、前記演算手段の演算結果と移動通信端末からの前記演算結果との照合を採る照合手段と、移動通信端末に対する前記書換命令の送信許否を前記照合手段の照合結果に基づき決定する手段と、を具備する構成を採る。
【００１８】
この構成によれば、制御装置では、移動通信端末の適合性試験を実施する場合に、まず、移動通信端末に認証用パラメータを送信して移動通信端末から認証に関する演算結果を取得し、移動通信端末に実装されている加入者識別モジュールが３ＧＰＰ勧告ＴＳ３４．１０８に規格化されている試験用の加入者識別モジュールであるか否かを確認する。この確認ができた場合にデータの書換命令を移動通信端末に送信し、確認ができない場合にはデータの書換命令を移動通信端末に送信しない。したがって、移動通信端末の適合性試験を移動通信端末から試験用の加入者識別モジュールを抜き出すことなく実施する場合に、適合性試験の実施時に実装されている加入者識別モジュールが試験用の加入者識別モジュールではなく、加入者情報や積算通話料金等が記録されている加入者識別モジュールである場合にそのデータが誤って書き換えられるを防止することができる。
【００１９】
【発明の実施の形態】
本発明の骨子は、３ＧＰＰ勧告ＴＳ３４．１２３−１に規格化されている移動通信端末の適合性試験（Ｃｏｎｆｏｒｍａｎｃｅ  Ｔｅｓｔ）を実施する場合に、移動通信端末に実装されている加入者識別モジュールが３ＧＰＰ勧告ＴＳ３４．１０８に規格化されている試験用の加入者識別モジュールであるとの確認が行えるようにすることにより、実施している適合性試験を中断することなく、試験用の加入者識別モジュールに記録されているデータの書き換えが行えるようにすることである。
【００２０】
また、確認ができた後に試験用の加入者識別モジュールが他の加入者識別モジュールに置き換わっている場合には、それに記録されているデータの書き換えが行えないようにすることである。
【００２１】
以下、本発明の実施の形態について、図面を参照して詳細に説明する。
【００２２】
（実施の形態１）
図１は、本発明の実施の形態１に係る移動通信端末及び制御装置の構成を示すブロック図である。図１に示す移動通信端末１００は、制御装置１５０との制御命令の送受信を実現する外部装置インタフェース１０１と、試験用の加入者識別モジュール（Ｔｅｓｔ ＳＩＭ）１０２とを備えている。
【００２３】
外部装置インタフェース１０１には、ＳＩＭカード制御部１０３と第１認証制御部１０４と第２認証制御部１０５とが接続されている。加入者識別モジュール（Ｔｅｓｔ ＳＩＭ）１０２は、認証処理部１２１とデータ領域１２２とで構成され、ＳＩＭカードインタフェース１０６を介してＳＩＭカード制御部１０３と第１認証制御部１０４と第２認証制御部１０５とに接続されている。なお、外部装置インタフェース１０１とＳＩＭカード制御部１０３とには、他の構成要素１０７も接続されている。
【００２４】
ＳＩＭカード制御部１０３は、外部装置インタフェース１０２が書換命令を受信すると、Ｔｅｓｔ ＳＩＭ１０２のデータ領域１２２の書き換えを行う。第１認証制御部１０４は、外部装置インタフェース１０１に入力された認証用パラメータをＳＩＭカードインタフェース１０６を介してＴｅｓｔ ＳＩＭ１０２の認証処理部１２１に送信する。
【００２５】
Ｔｅｓｔ ＳＩＭ１０２の認証処理部１２１は、３ＧＰＰ勧告ＴＳ３４．１０８に規格化されている認証アルゴリズムと、第１認証制御部１０４から入力された認証パラメータと、予め保持しているキーとを利用して導いた演算結果をＳＩＭカードインタフェース１０６を介して第２認証制御部１０５に出力する。第２認証制御部１０５は、Ｔｅｓｔ ＳＩＭ１０２の認証処理部１２１からの演算結果を外部装置インタフェース１０１に送信する。
【００２６】
図１に示す制御装置１５０は、移動通信端末１００との制御命令の送受信を実現する移動通信端末インタフェース１５１を備えている。移動通信端末インタフェース１５１には、パラメータ生成部１５２と制御部１５３と抑制部１５４と演算結果照合部１５５とが接続されている。また、制御部１５３と抑制部１５４とは接続され、抑制部１５４と演算結果照合部１５５とは接続されている。また、演算結果照合部１５５には、演算部１５６が接続されている。
【００２７】
パラメータ生成部１５２は、予め用意されたキーと３ＧＰＰ勧告ＴＳ３４．１０８に規格化されている認証アルゴリズムとを用いて、認証用パラメータを生成し、移動通信端末インタフェース１５１に送信する。
【００２８】
制御部１５３は、移動通信端末インタフェース１５１にＴｅｓｔ ＳＩＭ１０２のデータ領域１２２の書換命令を送信する。演算部１５６は、予め用意されたキーと３ＧＰＰ勧告ＴＳ３４．１０８に規格化されている認証用アルゴリズムとから演算結果を導き出す。演算結果照合部１５５は、演算部１５６が導き出した演算結果と、移動通信端末インタフェース１５１が受信した演算結果との照合を行う。
【００２９】
抑制部１５４は、演算結果照合部１５５における照合の結果、演算部１５６が導き出した演算結果と、移動通信端末インタフェース１５１が受信した演算結果とが一致しない場合に、制御部１５３がＴｅｓｔ ＳＩＭ１０２の書換命令を送信することを抑制する。
【００３０】
つぎに、図１を参照して実施の形態１の動作について説明する。まず、制御装置１５０では、パラメータ生成部１５２が認証用パラメータを生成し、移動通信端末インタフェース１５１に送信する。同時に、演算部１５６が予め用意されたキーと３ＧＰＰ勧告ＴＳ３４．１０８に規格化されている認証用アルゴリズムとから演算結果を導き出す。移動通信端末インタフェース１５１は、受信した認証用パラメータを移動通信端末１００に送信する。
【００３１】
移動通信端末１００では、外部装置インタフェース１０１が、その受信した認証用パラメータを第１認証制御部１０４に送信する。第１認証制御部１０４は、認証用パラメータをＳＩＭカードインタフェース１０６を介してＴｅｓｔ ＳＩＭ１０２の認証処理部１２１に送信する。
【００３２】
認証処理部１２１は、３ＧＰＰ勧告ＴＳ３４．１０８に規格化されている認証用アルゴリズムと、第１認証制御部１０４から入力された認証パラメータと予め保持しているキーとを利用して演算結果を導き出し、その演算結果をＳＩＭカードインタフェース１０６を介して第２認証制御部１０５に出力する。
【００３３】
第２認証処理部１０５は、受信した演算結果を外部装置インタフェース１０１に送信する。外部装置インタフェース１０１は、受け取った演算結果を制御装置１５０に送信する。
【００３４】
制御装置１５０では、移動通信端末インタフェース１５１が、その受信した演算結果を演算結果照合部１５５に送信する。演算結果照合部１５５は、演算部１５６が導き出した演算結果と、移動通信端末インタフェース１５１が受信した演算結果との照合を行う。
【００３５】
抑制部１５４は、演算結果照合部１５５における照合の結果、演算部１５６が導き出した演算結果と移動通信端末インタフェース１５１が受信した演算結果とが一致しない場合には、制御部１５３が、Ｔｅｓｔ ＳＩＭ１０２の書換命令を送信することを抑制する。つまり、抑制部１５４は、演算結果照合部１５５における照合の結果、一致した場合に、制御部１５３がＴｅｓｔ ＳＩＭ１０２の書換命令を送信することを許可する。移動通信端末インタフェース１５１は、制御部１５３から受信したＴｅｓｔ ＳＩＭ１０２の書換命令を移動通信端末１００に送信する。
【００３６】
移動通信端末１００では、外部装置インタフェース１０１が、その受信したＴｅｓｔ ＳＩＭ１０２の書換命令をＳＩＭカード制御部１０３に送信する。ＳＩＭカード制御部１０３は、受信した書換命令に従い、Ｔｅｓｔ ＳＩＭ１０２のデータ領域１２２の内容を書き換える。
【００３７】
このように、実施の形態１によれば、外部の制御装置は、移動通信端末に実装されている加入者識別モジュールが３ＧＰＰ勧告ＴＳ３４．１０８に規格化されている試験用の加入者識別モジュールであると確認できた場合にデータの書換命令を移動通信端末に送信し、移動通信端末にて試験用の加入者識別モジュール内のデータ書換が行われる。
【００３８】
したがって、移動通信端末の適合性試験を実施する場合に、移動通信端末から試験用の加入者識別モジュールを抜き出すことなく、つまり実施している適合性試験を中断することなく、それに記録されているデータの書き換えを行うことができる。
【００３９】
このとき、外部の制御装置は、移動通信端末に実装されている加入者識別モジュールが３ＧＰＰ勧告ＴＳ３４．１０８に規格化されている試験用の加入者識別モジュールでない場合は、データの書換命令を移動通信端末に送信しないので、適合性試験の実施時に実装されている加入者識別モジュールが試験用の加入者識別モジュールでなく、加入者情報や積算通話料金等が記録されている加入者識別モジュールである場合にそのデータが誤って書き換えてしまうのが防止できる。
【００４０】
（実施の形態２）
図２は、本発明の実施の形態２に係る移動通信端末及び制御装置の構成を示すブロック図である。なお、図２では、図１に示した構成と同一ないしは同等である構成要素には、同一の符号が付されている。ここでは、この実施の形態２に関わる部分を中心に説明する。
【００４１】
図２に示すように、実施の形態２に係る移動通信端末２００では、図１に示した移動通信端末１００において、ＳＩＭカード制御部１０３とＳＩＭカードインタフェース１０６とに接続された挿抜検出部２０１が追加されている。
【００４２】
なお、図２に示す移動通信端末２００では、電源ＯＮの状態において試験用のＴｅｓｔ ＳＩＭ１０２が抜き取られ、他の加入者識別モジュール（ＳＩＭ）２０２が実装された場合が示されている。ＳＩＭ２０２は、認証処理部２２１とデータ領域２２２とで構成されている。
【００４３】
挿抜検出部２０１は、試験用のＴｅｓｔ ＳＩＭ１０２の実装有無をＳＩＭカードインタフェース１０６を介して監視し、試験用のＴｅｓｔ ＳＩＭ１０２が抜き取られ、他の加入者識別モジュール（ＳＩＭ）２０２が実装されていることを検出すると、電源をＯＦＦするまで、ＳＩＭカード制御部１０３がＳＩＭ２０２のデータ領域２２２の書き換えを行うことを抑制する。
【００４４】
つぎに、図２を参照して実施の形態２の動作について説明する。制御装置１５０の演算結果照合部１５５における照合の結果、演算部１５６が導き出した演算結果と、移動通信端末インタフェース１５１が受信した演算結果とが一致した後に、Ｔｅｓｔ ＳＩＭ１０２が抜き取られ、他のＳＩＭ２０２が実装されると、挿抜検出部２０１は、Ｔｅｓｔ ＳＩＭ１０２が抜き取られたことを検出し、ＳＩＭカード制御部１０３がＳＩＭ２０２のデータ領域２２２の書き換えを行うことを禁止する。その後、外部装置インタフェース１０１がＴｅｓｔ ＳＩＭの書換命令を受信しても、ＳＩＭカード制御部１０３は、ＳＩＭ２０２のデータ領域２２２の書き換えを実行しない。
【００４５】
このように、実施の形態２によれば、試験用の加入者識別モジュールが抜き取られたことを検出すると、代わりに実装された他の加入者識別モジュールのデータ領域を書き換えることを禁止するので、３ＧＰＰ勧告ＴＳ３４．１０８に規格化されている試験用の加入者識別モジュールが実装されていることの確認ができ、書き換えが可能な状況にある場合に、試験用の加入者識別モジュールが他の加入者識別モジュールに交換された場合には、その交換された加入者識別モジュールのデータ領域を書き換えることが防止できる。
【００４６】
【発明の効果】
以上説明したように、本発明によれば、移動通信端末の適合性試験を実施する場合に、移動通信端末から試験用の加入者識別モジュールを抜き出すことなく、つまり適合性試験を中断することなく、その試験用の加入者識別モジュールに記録されているデータの書き換えが行える。また、試験用の加入者識別モジュールに対してのみデータの書き換えが行えるので、試験用の加入者識別モジュールが抜き取られ、他の加入者識別モジュールと置き換わっている場合には、その交換された加入者識別モジュールのデータを誤って書き換えてしまうことが防止できる。
【図面の簡単な説明】
【図１】本発明の実施の形態１に係る移動通信端末及び制御装置の構成を示すブロック図
【図２】本発明の実施の形態２に係る移動通信端末及び制御装置の構成を示すブロック図
【符号の説明】
１００，２００  移動通信端末
１０１  外部装置インタフェース
１０２  試験用の加入者識別モジュール（Ｔｅｓｔ  ＳＩＭ）
１０３  ＳＩＭカード制御部
１０４  第１認証制御部
１０５  第２認証制御部
１０６  ＳＩＭカードインタフェース
１０７  他の構成要素
１２１  認証処理部
１２２  データ領域
１５０  外部の制御装置
１５１  移動通信端末インタフェース
１５２  パラメータ生成部
１５３  制御部
１５４  抑制部
１５５  演算結果照合部
１５６  演算部
２０１  挿抜検出部
２０２  他の加入者識別モジュール（ＳＩＭ）
２２１  認証処理部
２２２  データ領域
【図１】
2004208192.tif 000003
【図２】
2004208192.tif 000004